(57)【特許請求の範囲】
【請求項１】
排水口に取り付けられ、排水口から取り外すために使用者が把持する取手部と、排水口へのゴミの侵入を阻止するためのゴミの捕集部とを備えた排水カゴと、排水カゴの上面を覆うための排水蓋とで構成される排水部材であって、排水蓋は排水が流入するための開口部を備え、開口部から離隔した位置の排水蓋の裏面に突片を備え、突片が排水カゴの取手部を覆うように形成されていることを特徴とする排水部材。
【請求項２】
請求項１に記載の排水部材であって、突片が排水カゴの取手側に湾曲していることを特徴とする排水部材。
【請求項３】
請求項１または２に記載の排水部材であって、排水蓋の開ロ部が中心から一方に偏った位置にスリット状に形成されていることを特徴とする排水部材。
【請求項４】
請求項１から３のいずれかに記載の排水部材であって、排水カゴが捕集部の周囲にフランジ部を備え、取手部がフランジ部よりも一段高い位置に略水平または傾斜状に設けられていることを特徴とする排水部材。
【請求項５】
請求項１から４のいずれかに記載の排水部材であって、排水カゴの取手部の下方に、取手部への排水の流入を防ぐための侵入防止壁が設けられていることを特徴とする排水部材。
【請求項６】
排水口に取り付けられ、排水口から取り外すために使用者が把持する取手部と排水口へのゴミの侵入を阻止するためのゴミの捕集部とを備えた排水カゴと、排水カゴの上面を覆うための排水蓋とで構成される排水部材であって、排水蓋は排水が流入するための開口部を備えており、排水蓋の裏面に２つの環状の突片が二重壁状で略垂直に設けられており、２つの突片の間に排水カゴの取手部が配置されるように形成されていることを特徴とする排水部材。
【請求項７】
請求項１から６のいずれかに記載の排水部材であって、排水蓋の周縁部に軟質材が取り付けられていることを特徴とする排水部材。
【発明の詳細な説明】
【技術分野】
【０００１】
本発明は、キッチンのシンクの排水口等に取り付けられる排水蓋とゴミを捕集する排水カゴから成る排水部材に関する。
【背景技術】
【０００２】
キッチンのシンクの排水口等には、生ゴミ等のゴミを捕集する排水カゴを取り付け、その上に排水蓋を装着する構成において、排水カゴは、網目状の捕集部と、その周囲のフランジ部と、フランジ部に形成された取手部とを備え、使用者は取手部を掴んでゴミ捨てなどを行えるようにした構成は従来から知られている。
【０００３】
このような構成の従来例を図７（ａ）〜（ｃ）に示す。この従来例では、生ゴミ等のゴミを捕集する排水カゴ６０は、図７（ｂ）に示すように、網目状の捕集部６１と、捕集部６１の周囲のフランジ部６２と、フランジ部６２から水平かつ内側に突出する取手部６３を備えている。図７（ａ）、（ｃ）に示すように、排水カゴ６０は、そのフランジ部６２をシンク１８の排水口１９の段部２０に載置して取り付け、その上に、排水蓋６４を載置して取り付ける。
【０００４】
排水蓋６４は、図７（ａ）、（ｃ）に示すように、シンク１８の排水口１９及び排水カゴ６０をカバーするものである。排水蓋６４には、排水が排水カゴ６０内に流入するための開口部６５が設けられており、この開口部６５に向けて下方に傾斜する舌片部６６が形成されている。
【０００５】
図７（ｃ）に示すように、シンク１８からの排水は、排水蓋６４の開口部６５から排水カゴ６０内に流れ込み、排水カゴ６０によって、排水とともに流されてきたゴミ２１が捕集されて、排水は排水口１９の底部開口６７から排水管６８を通して排水される。
【０００６】
ところで、流し排水口の排水蓋において、ごみ投入口を形成する排水蓋の略半分が斜め上方に向けて突設される上がり傾斜片、残りの半分が斜め下方に向けて突設される下り傾斜片として構成されたものが公知である（特許文献１参照）。
【０００７】
また、流し排水口の排水蓋において、排水蓋の半分が中央に向かって上向き又は下向きに折り返し自在に傾斜する目隠し片とし、残りの半分が中央に向かって下向きに傾斜する水受け片として設け、目隠し片と水受け片の問に水落とし口を設けたものが公知である（特許文献２参照）。
【先行技術文献】
【特許文献】
【０００８】
【特許文献１】特許第３０７８９８１号公報
【特許文献２】特許第３２０６３２３号公報
【発明の概要】
【発明が解決しようとする課題】
【０００９】
キッチンのシンクの排水口等において、ゴミを含む排水が取手部に流れ込むと、取手部に排水やゴミが付着し、時間の経過と共にヌメリが発生する。また、排水やゴミの付着は、取手部にカビが発生する原因ともなる。ゴミ捨て時にこのような汚れた取手部に触れることは、使用者に不快感を与える可能性がある。
【００１０】
図７に示す従来例についてみると、図７（ｃ）に示すように、排水口１９及び排水部材６０における排水は、矢印イに示すように開口部６５から直接、取手部６３に向けて流入する流れがある。また、矢印ロに示すように排水が排水口１９と排水蓋６４の隙間６９から取手部６３に浸水してくる場合もある。
【００１１】
また、排水が、矢印ニに示すように排水カゴ６０に溜まったゴミ２１から跳ね返るようにして取手部６３の方向に向かう場合もある。さらに、底部開口６７方向に流下した排水が下方から上昇し、矢印ハに示すように取手部６３に向けて逆流するような場合もある。このようなイ〜ニに示す排水の流れが生じると、排水が取手部６３に接触して、取手部６３が汚れやすいという問題が生じる。
【００１２】
本発明は、上記従来の問題を解決することを目的とし、排水カゴの取手部に排水が流れ難い構造とすることで、取手部をゴミで汚れ難くして、使用者が清掃時に取手部を掴んだ際に与える不快感を低減させ、しかも清掃性に優れた排水蓋と排水カゴから成る排水部材を実現することを課題とする。
【課題を解決するための手段】
【００１３】
本発明は上記課題を解決するために、排水口に取り付けられ、排水口から取り外すために使用者が把持する取手部と、排水口へのゴミの侵入を阻止するためのゴミの捕集部とを備えた排水カゴと、排水カゴの上面を覆うための排水蓋とで構成される排水部材であって、排水蓋は排水が流入するための開口部を備え、開口部から離隔した位置の排水蓋の下面に突片を備え、突片が排水カゴの取手部を覆うように形成されていることを特徴とする排水部材を提供する。
【００１４】
突片は、排水カゴの取手側に湾曲していることが好ましい。
【００１５】
排水蓋の開ロ部が中心から一方に偏った位置にスリット状に形成されていることが好ましい。
【００１６】
排水カゴがさらに捕集部の周囲にフランジ部を備え、取手部がフランジ部よりも一段高い位置に略水平または傾斜状に設けられていることが好ましい。
【００１７】
排水カゴの取手部の下方に、取手部への排水の流入を防ぐための侵入防止壁が設けられていることが好ましい。
【００１８】
本発明は上記課題を解決するために、排水口に取り付けられ、排水口から取り外すために使用者が把持する取手部と排水口へのゴミの侵入を阻止するためのゴミの捕集部とを備えた排水カゴと、排水カゴの上面を覆うための排水蓋とで構成される排水部材であって、排水蓋は排水が流入するための開口部を備えており、排水蓋の下面に２つの環状の突片が二重壁状で略垂直に設けられており、２つの突片の間に排水カゴの取手部が配置されるように形成されていることを特徴とする排水部材を提供する。
【００１９】
排水蓋の周縁部に軟質材が取り付けられていることが好ましい。
【発明の効果】
【００２０】
本発明によると、キッチンのシンクの排水口等に取り付けられる排水蓋の裏面に突片を設け、この突片によって排水カゴの取手部に水が流れ難い構造とすることで取手部の汚れを防止し、ゴミ捨て時の不快感を軽減できるという効果が生じる。
【００２１】
具体的には、排水蓋の開ロ部と遠い位置に排水蓋の裏面に突片を設け、排水カゴの取手部を突片で覆うような位置関係で、排水蓋を排水カゴに載置して取り付ける構成とすることで、取手部と開口部は離れた位置になり、突片白身による侵水防止効果と相まって、取手部側への水の流入を防止できる。
【００２２】
また、排水蓋全周の裏面に二重壁状の突片を設け、これらの突片の隙問に排水カゴの取手部を収めることで取手部への水の侵入を防止する構成とすれば、開口部の位置によらず、取手部への水の流人が防止できる。
【図面の簡単な説明】
【００２３】
【図１】本発明の排水部材の実施例１を説明する図であり、（ａ）は断面図であり、（ｂ）、（ｃ）は排水カゴの断面図、斜視図である。
【図２】本発明の排水部材の実施例１の排水蓋を説明する図であり、（ａ）は裏面から見た平面図であり、（ｂ）は断面図であり、（ｃ）は斜視図である。
【図３】本発明の排水部材の実施例１の作用を説明する図であり、（ａ）は排水部材をシンクの排水口に取り付けた状態を示す図であり、（ｂ）は排水の流れ等を説明する図である。
【図４】本発明の排水部材の実施例２を説明する図であり、（ａ）は断面図であり、（ｂ）は排水蓋の断面図であり、（ｃ）は排水カゴの断面図であり、（ｄ）は作用を説明する図である。
【図５】本発明の排水部材の実施例３を説明する図であり、（ａ）は断面図及び（ａ）に示すＡの要部拡大図であり、（ｂ）、（ｄ）は排水蓋の断面図、裏面側の斜視図であり、（ｃ）、（ｅ）は排水カゴの断面図、斜視図である。
【図６】本発明の排水部材の実施例３の作用を説明する図であり、（ａ）は排水部材をシンクの排水口に取り付けた状態を示す図であり、（ｂ）は排水の流れ等を説明する図である。
【図７】従来例を説明する図であり、（ａ）は排水部材をシンクの排水口に取り付けた状態を示す図であり、（ｂ）は排水カゴの斜視図であり、（ｃ）は排水の流れ等を説明する図である。
【発明を実施するための形態】
【００２４】
本発明に係る排水部材を実施するための形態を実施例に基づき図面を参照して、以下説明する。本発明の排水部材は、キッチンのシンクの排水口等に取り付けられる排水蓋とゴミを捕集する排水カゴから成る。その特徴的な構成は、排水蓋の裏面（下面）に突片を設け、この突片で排水カゴの取手部に向かって水が流れ難い構造とすることで、取手部が排水で汚れることを防止し、ゴミ捨て時の不快感を軽減できるようにした構成である。
【００２５】
具体的には、排水蓋の開ロ部と遠い位置に排水カゴの取手部を設け、排水蓋の裏面に垂下状に設けた突片によって水の浸入を防止する実施例と、排水蓋全周の裏面に二重壁状の突片を設け、これらの突片の隙問に排水カゴの取手部を収めることで取手部への水の浸入を防止する実施例がある。以下、それぞれの実施例について説明する。
【実施例１】
【００２６】
図１〜３は、本発明に係る排水部材の実施例１を説明する図である。この実施例１の排水部材１は、キッチンのシンク等の排水口に取り付けられて使用されるものであり、図１（ａ）に示すように、排水蓋２と生ゴミ等のゴミを捕集する排水カゴ３から成る。
【００２７】
排水カゴ３は、図１（ｂ）、（ｃ）に断面図及び斜視図を示すように、網目状の捕集部４と、捕集部４の周囲のフランジ部５と、フランジ部５から水平かつ内側に突出する取手部６を備えている。なお、取手部６は水平に限らず、傾斜状に形成されているのでも良い。本明細書においては、網目状とは、文字通り網目状のもの、及び多孔状のものを含む。
【００２８】
図２は排水蓋２の構成を説明する図であり、排水蓋２は、平面視で全体的に円形の頂部７を有しており、この頂部７の裏面（下面）の周縁に沿って下方に環状に突設した環状突出部８が形成されている。本明細書では、図２（ａ）〜（ｃ）において、排水蓋２の左側を「他方の側」とし、右側を「一方の側」とした場合、頂部７における中心より一方の側に偏った部分に、排水が流入する開口部９が形成されている。この開口部９は、例えばスリット状に形成されている。
【００２９】
排水蓋２は、その頂部７を全面的に略平坦な構造とし開口部を設けた構成としてもよいが、この実施例１では、開口部９に排水が流入しやすくするために、排水蓋２を次のような構成としている。
【００３０】
排水蓋２の頂部７には、開口部９に向けて他方の側から一方の側に向けて、第１の平坦部１０と、下方に緩く傾斜した第１の傾斜部１１が順次形成されている。排水部材１の使用に際して、排水蓋２を排水カゴ３に載置して組み合わせた状態で、第１の平坦部１０は、排水カゴ３の取手部６に当たらないように形成されている。第１の傾斜部１１は、さらに開口部９の近くで舌片部１２に連続している。
【００３１】
舌片部１２は、排水蓋２の上方から見て、開口部９を通して排水カゴ３が視認できないように、第１の傾斜部１１から屈曲され、開口部９の他方の側の開口縁１３まで第１の傾斜部１１より急傾斜して形成されている。このような舌片部１２を設けると、上方から排水カゴ３が視認できないので見栄えがよく、また、排水カゴ３内に捕集されているゴミが見えないので、清潔感が保たれ、キッチンのシンクの使用者にとって快適にシンクを使用できる。
【００３２】
また、一方の側から開口部９に向けて、第１の平坦部１０より左右方向に幅の狭い第２の平坦部１４と第２の傾斜部１５が順次形成されている。第２の傾斜部１５は、開口部９の一方の側の開口縁１６まで下方に向けて傾斜している。なお、実施例１では、舌片部１２を設けた構成を説明したが、このような舌片部１２を設けることなく、第１の傾斜部１１が開口部９の他方の側の開口縁１３まで形成されている構成としてもよい。
【００３３】
開口部９から他方の側に離隔した位置の排水蓋２の裏面、つまり、幅の広い第１の平坦部１０の裏面に、取手部汚れ防止用の突片１７が下方に向けて突設されている。排水部材１をシンクの排水口に取り付けて使用する際に、排水蓋２を排水カゴ３の上に載置した状態では、突片１７は排水カゴ３の取手部６を覆うように形成されている（図２（ａ）、図３参照）。
【００３４】
突片１７は、排水カゴ３の取手部６を覆い排水カゴ３からの排水の流れを効果的に規制できるように、下方に向かうに従い他方の側に向けて側面視で湾曲するように形成されていることが好ましい。また、図２（ａ）に排水蓋２の裏面から見た図で示すが、突片１７は取手部６（２点鎖線で示す部分参照）を囲うように、平面視で湾曲して形成されていることが好ましい。
【００３５】
なお、実施例２で詳説するが、この実施例１においても、排水蓋２の周縁部に軟質材（図４参照）を取り付けることにより、排水口１９と排水蓋２の隙間２３を埋める構成とすれば、この隙間２３から排水が排水口１９内に流入し取手部６に接触して汚すようなことが防止できる。さらに、突片１７の周縁部（端部）に軟質材を取り付ける、または突片１７を軟質材で形成すれば、取手部６への排水の流入を、より効果的に防止することができる。突片１７の下端部に軟質材を取り付ける、あるいは突片１７を軟質材で形成する場合、排水蓋２とこれら軟質材を一体的に成形しても良いし、別部品を接着、溶着などにより接合するのでも良い。
【００３６】
（作用）
実施例１の排水部材１の作用を図３において説明する。図３（ａ）は、排水部材１をキッチンのシンク１８の排水口１９に取り付けた状態を示す図である。この状態では、排水カゴ３のフランジ部５は、排水口１９の段部２０に載置されている。そして、この排水カゴ３のフランジ部５の上に、排水蓋２がその環状突出部８が載置されて取り付けられている。
【００３７】
前記したとおり、実施例１の排水部材１では、排水蓋２の頂部７には、他方の側から開口部９に向けて、第１の平坦部１０と下方に緩く傾斜した第１の傾斜部１１が順次形成され、一方の側から開口部９に向けて、第１の平坦部１０より左右方向に幅の狭い第２の平坦部１４と第２の傾斜部１５が順次形成されている。
【００３８】
このような構成としたので、排水部材１の使用に際して、排水蓋２を排水カゴ３に載置して組み合わせた際に、仮に第２の平坦部１４側を排水カゴ３の取手部６の形成されている側に載置しようとすると、第２の傾斜部１５が取手部６に当ってしまい、きっちりと組み合わせることができない。
【００３９】
このために、排水蓋２を排水カゴ３に載置して組み合わせた際に、排水蓋２の第１の平坦部１０側、即ち突片１７の形成されている側を取手部６側に載置しないと、きっちりと組み合わせることができないので、排水カゴ３に対する排水蓋２の位置決めが可能となる（適切な載置位置を自動的に決めることが可能となる）。図示はしないが、傾斜部１１、１５は、平坦部１０、１４より一段下がった位置から形成されても良い。この場合、排水蓋２と排水カゴ３の位置関係が、より明確に決まり易い。
【００４０】
図３（ｂ）に示すように、シンク１８において、排水は排水蓋２の第１の平坦部１０、第１の傾斜部１１及び舌片部１２に沿って流れ、また第２の平坦部１４及び第２の傾斜部１５に沿って流れ、開口部９から排水カゴ３内に流入する。排水とともに流れてきたゴミ２１は、排水カゴ３で捕集されて捕集部４の底部２２に溜まっていく。
【００４１】
ところで、従来例では、図７に示すように、排水蓋６４の開口部６５から流入してくる排水が矢印イに示すように取手部６３方向に流れることも生じる。特に、ゴミ２１が堆積してくると堆積したゴミ２１により排水の流れが偏向されて、矢印ニに示すように取手部６３方向に流れやすくなり、取手部６３を排水で汚すおそれがあった。
【００４２】
しかしながら、実施例１の排水部材１は、開口部９から離隔した位置に突片１７を設け、突片１７で取手部６が覆われるように、排水蓋２を排水カゴ３に載置して取り付けて排水部材１を使用する。従って、排水部材１の使用に際しては、第１に、開口部９と取手部６が互いに離隔した位置関係となるために、開口部９から流入した排水は、取手部６まで流れ難くなる。
【００４３】
第２に、排水部材１の使用に際しては、取手部６が突片１７により覆われている状態となる構成とされているために、流入してくる排水は、突片１７でその流れが遮断されて規制されるために直接、取手部６に接触し難くなる。
【００４４】
そして、実施例１の排水部材１では、上記第１及び第２の効果が相乗的に作用して、開口部９から流入してくる排水が取手部６に直接接触するようなことが規制されるので、排水が取手部６に接触したり、排水とともに流れてきたゴミ２１が取手部６に接触して付着するようなことが防止される。
【００４５】
このため、取手部６が汚れるようなことがなくなり、使用者にとって、ゴミ捨て時の不快感を軽減できるという効果が生じる。
【実施例２】
【００４６】
図４は、本発明に係る排水部材の実施例２を説明する図である。実施例２の排水部材３０は、実施例１の排水部材１とほぼ同じ構成であり、実施例１の排水部材１による取手部６の汚れ防止の効果を向上させるために、フランジ部５よりも一段高い取手部３１と軟質材３２と侵水防止壁３３を設けた構成を特徴とする。                                      
【００４７】
実施例２の排水部材３０の構成うち、実施例１の排水部材１と同じ部分については同じ符号を使用し、実施例１と相違する構成を中心に以下説明する。この実施例２の排水部材３０は、図４（ａ）に示すが、実施例１の排水部材１と同様に、キッチンのシンク１８の排水口１９に取り付けられる排水蓋３４と生ゴミ等のゴミを捕集する排水カゴ３５とから成る。
【００４８】
排水蓋３４は、図４（ｂ）に示すように、実施例１と同じ構成のものにおいて、その周縁に軟質材３２が取り付けられている。この軟質材３２は、可撓性の合成樹脂又はゴム等の材料で形成されている。図４（ｄ）に示すように、軟質材３２は、排水部材３０を排水口１９に取り付けた状態において、シンク１８における排水口１９を囲む周縁から排水口１９の上端の内周面にかけての部分に当接するように構成されている。
【００４９】
この軟質材３２は、排水口１９と排水蓋３４の隙間３６を埋めて、図７に示す従来例の矢印ロのように、排水が排水口１９と排水蓋６４の隙間６９から侵入するようなことを防止するものであり、浸水防止パッキンとして機能する。
【００５０】
排水カゴ３５は、図４（ｃ）に示すとおり、実施例１と同様に、網目状の捕集部４と、捕集部４の周囲のフランジ部５と、フランジ部５から内側に突出する取手部３１とを備えている。取手部３１はフランジ部５よりも一段高い位置に略水平または傾斜状に設けられている。取手部３１がフランジ部５より一段高い位置にあるので、取手部３１が排水に接触し難くなるという効果が生じる。
【００５１】
さらに、この実施例２の排水カゴ３５は、取手部３１に対応する位置に排水カゴ３５の上縁から周方向に形成された侵水防止壁３３が形成されている。この侵水防止壁３３は、下方から取手部３１に向けて流れる排水（図７参照）を遮断するように機能する。侵水防止壁３３の縦幅Ｈは、排水カゴ３５に排水蓋３４を組み合わせた状態（図４（ａ）参照）で、その下端が突片１７の下端とほぼ同じ高さの位置に、これらが互いに当接するように形成されている。
【００５２】
上記構成から成る実施例２の排水部材３０によると、実施例１の排水部材１と同様の効果が生じる。加えて、この実施例２の排水部材３０によると、図４（ｄ）に示すとおり、排水蓋３４の周縁部に取り付けられた軟質材３２と、排水カゴ３５の取手部３１に対応する位置に形成された侵水防止壁３３が設けられているので、排水口１９と排水蓋３４の隙間３６から、及び下方から取手部３１に向けて流れる排水を遮断して、排水とともに流れてきたゴミが取手部３１に接触して付着するようなことが防止でき、取手部３１の汚れを防止し、使用者にとって、ゴミ捨て時の不快感を軽減できるという効果が生じる。さらに、突片１７の周縁部（端部）及び侵入防止壁３３を軟質材で形成すれば、これらの密着性が高まり、取手部６への排水の流入を、より効果的に防止することができる。
【実施例３】
【００５３】
図５、６は、本発明に係る排水部材の実施例３を説明する図である。この実施例３の排水部材４０は、キッチンのシンクの排水口等に取り付けられて使用されるものであり、図５（ａ）に示すように、排水蓋４１と生ゴミ等のゴミを捕集する排水カゴ４２から成る。
【００５４】
排水カゴ４２は、図５（ｃ）、（ｅ）に示すように、網目状の捕集部４３と、捕集部４３の周囲のフランジ部４４と、フランジ部４４の周方向の一部上面において内縁側から上方に突出する取手部４５を備えている。
【００５５】
排水蓋４１は、図５（ｂ）に断面図を示し、図５（ｄ）に裏面側から見た斜視図を示すように、円形の頂部４６を有している。この実施例３では、頂部４６は平坦な円形板から形成されているが、頂部４６は、実施例１と同様に第１の平坦部１０、第１の傾斜部１１、舌片部１２、第２の平坦部１４及び第２の傾斜部１５を有する構成としてもよい。頂部４６には、排水が流入する例えば、スリット状の開口部４７が形成されている。
【００５６】
排水蓋４１の頂部４６の裏面には、環状の外側の突片４８と環状の内側の突片４９が、互いに同心で二重壁状に、略垂直に下方に向けて突出するように形成されている。外側の突片４８は、排水蓋４１の頂部４６の周縁に沿って全周に形成されている。
【００５７】
この外側の突片４８は、図５（ａ）に示すように、排水蓋４１と排水カゴ４２上に組み合わせた際に、排水カゴ４２のフランジ部４４に載置されるものである。外側の突片４８は、このように、外側の突片４８が排水カゴ４２のフランジ部４４に載置された状態で、取手部４５が頂部４６に当接しない程度の縦幅Ｈ１で形成されている。
【００５８】
排水部材４０の使用に際して、排水蓋４１を排水カゴ４２に載置して組み合わせると、取手部４５が外側の突片４８と内側の突片４９の間の空間５０内に収まるように、内側の突片４９は、外側の突片４８の内側に間隔をおいて全周に形成されている。内側の突片４９は、少なくとも取手部４５の上下方向全長を内側から覆うような縦幅Ｈ２で形成されている。このように実施例３の内側の突片４９は、取手部４５を覆うという構成において、実施例１の突片１７に対応するものである。
【００５９】
そして、この実施例３では、内側の突片４９における下端部の外周面全周には、外側に向けて排水侵入防止用の環状突縁５１が形成されている。環状の突縁５１は、排水部材４０の使用に際して排水蓋４１を排水カゴ４２に載置して組み合わせた状態で、排水カゴ４２に密着するように形成されている。排水カゴ４２の捕集部４の網目状部は、環状突縁５１よりも下方から設けられていることが望ましい。環状突縁５１は、排水蓋４１と一体に形成してもよいが、樹脂材又はゴム等で別体に形成され、内側の突片４９の下端部外周面に接着して取り付けてもよい。それにより、排水カゴ４２の捕集部４３から取手部４５に向けた排水の流れによって取手部４５が汚されることを、より効果的に防止することができる。
【００６０】
開口部４７は、実施例１と同様に平面視で排水蓋４１の頂部４６の中心から一方に偏った位置に形成されていることが好ましい。しかし、実施例３では、取手部４５を内側から覆う内側の突片４９は環状に形成されているために、開口部４７の位置によることなく、取手部４５への排水の流入が防止できるので、開口部４７は、頂部４６のほぼ中央部の位置に形成されていてもよい。
【００６１】
なお、この実施例３においても、図示はしないが、実施例２と同様に、排水蓋４１の周縁部に軟質材を取り付けることにより、シンクの排水口１９と排水蓋４１の隙間５３を埋める構成とすれば、この隙間５３から排水が排水口１９内に流入し取手部４５に接触し汚すようなことが防止できる。
【００６２】
（作用）                                                   
実施例３の排水部材４０の作用を図６において説明する。図６（ａ）は、排水部材４０をキッチンのシンク１８の排水口１９に取り付けた状態を示す図である。この状態では、排水カゴ４２のフランジ部４４は、排水口１９の段部２０に載置されている。そして、この排水カゴ４２のフランジ部４４の上に、排水蓋４１が載置されて取り付けられている。  
【００６３】
シンク１８において、排水は開口部４７から排水カゴ４２内に流入する。排水とともに流れてきたゴミは、図６（ｂ）に示すように、排水カゴ４２の捕集部４３によって捕集されて、その底部５２に溜まっていく。
【００６４】
ところで、従来例では、図７に示すように、開口部６５から流入してくる排水が、矢印イに示すように取手部６３方向に流れる可能性がある。特に、ゴミ２１が堆積してくると、堆積したゴミ２１により排水の流れが偏向されて矢印ニに示すように取手部６３の方向に流れやすくなり、取手部６３に排水が接触して汚すおそれがあった。
【００６５】
しかしながら、この実施例３の排水部材４０では、取手部４５が、排水蓋４１の裏面の外周縁に沿って形成された外側の突片４８と内側突片４９の間の空間５０内に収められるように構成されているので、排水カゴ４２内に流入してくる排水は、内側の突片４９で規制されるために、直接、取手部４５に接触し難くなる。また、排水蓋４１と排水口１９との間の隙間５３から流入してくる排水は、外側の突片４８によってその流れが規制されるために、取手部４５に接触し難くなる。
【００６６】
さらに、内側の突片４９の下端外周面に環状突縁５１が設けられているので、排水カゴ４２から外側の突片４８と内側の突片４９との間の隙間内に下方から流れ込もうとする排水の流れも規制するために、取手部４５への下方からの排水の接触も防止できる。従って、排水が取手部４５に接触したり、排水とともに流れてきたゴミが取手部４５に接触して付着するようなことが防止でき、取手部４５の汚れを防止し、ゴミ捨て時の不快感を軽減できるという効果が生じる。
【００６７】
以上、本発明に係る排水部材を実施するための実施の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００６８】
本発明に係る排水部材は上記のような構成であるから、キッチンのシンクだけでなく、浴室の洗い場、洗面ボウル等の排水口に取り付けて使用することもできる。
【符号の説明】
【００６９】
（実施例１）
１  排水部材                                           
２  排水蓋                                             
３  排水カゴ                                           
４  捕集部                                             
５  フランジ部                                         
６  取手部                                             
７  排水蓋の頂部                                       
８  環状突出部                                         
９  開口部                                             
１０  第１の平坦部                                          
１１  第１の傾斜部                                          
１２  舌片部                                                
１３  開口部の他方の側の開口縁                              
１４  第２の平坦部                                          
１５  第２の傾斜部                                          
１６  開口部の一方の側の開口縁                              
１７  突片                                                  
１８  シンク                                                
１９  排水口                                                
２０  排水口の段部                                          
２１  ゴミ                                                  
２２  捕集部の底部
２３  排水口と排水蓋の隙間                                          
（実施例２）                                                
３０  排水部材                                              
３１  取手部                                                
３２  軟質材                                                
３３  侵水防止壁                                            
３４  排水蓋                                                
３５  排水カゴ                                              
３６  排水口と排水蓋の隙間                                                  
（実施例３）                                                
４０  排水部材                                              
４１  排水蓋                                                
４２  排水カゴ                                              
４３  捕集部                                                
４４  フランジ部                                            
４５  取手部                                                
４６  頂部                                                  
４７  開口部                                                
４８  外側の突片                                            
４９  内側の突片                                            
５０  外側の突片と内側の突片の間の空間                      
５１  環状突縁                                              
５２  捕集部の底部
５３  排水口と排水蓋の隙間
（従来例）                                          
６０  排水カゴ
６１  網目状の捕集部
６２  捕集部の周囲のフランジ部
６３  取手部
６４  排水蓋
６５  開口部
６６  舌片部
６７  底部開口
６８  排水管
６９  排水口と排水蓋の隙間
【図１】
0005381629.tif 000002
【図２】
0005381629.tif 000003
【図３】
0005381629.tif 000004
【図４】
0005381629.tif 000005
【図５】
0005381629.tif 000006
【図６】
0005381629.tif 000007
【図７】
0005381629.tif 000008